(57)【要約】【課題】注出口栓の陥没や脱落に対して強い耐性を有する内付けタイプの口栓付き紙製容器を提供すること。【解決手段】紙製容器の頂部に口栓取り付け孔31が穿設され、この口栓取り付け孔に紙製容器の内側から注出口栓を嵌め込み溶着させた口栓付き紙製容器において、注出口栓10がキャップ部材15を被せる筒状部材11と、筒状部材下部内面に形成され筒状部材を閉塞する隔壁部材12と、隔壁部材から立設されるプルリング部材13と、筒状部材の下部外縁に形成された口栓取り付け孔縁部内面に貼着されるフランジ部材14とを有する注出口栓であり、前記各部材を口栓取り付け孔の内側から紙製容器にとりつけた後に、口栓取り付け孔を通過することのできないキャップ部材15を紙製容器の外側から紙製容器30の最外面に突出している筒状部材11に取り付けた。【選択図】図１
2005212847.tif 000002
【特許請求の範囲】
【請求項１】
紙を基材とし、内層に熱可塑性樹脂からなるシーラント層が設けられた紙製容器の頂部に口栓取り付け孔が穿設され、この口栓取り付け孔に内側からフランジ部材を有する注出口栓を嵌め込み溶着させた口栓付き紙製容器において、
前記注出口栓が、キャップ部材を被せる筒状部材と、該筒状部材下部内側に形成され筒状部材を閉塞する隔壁部材と、該隔壁部材から立設される開封用プルリング部材と、筒状部材の下部外縁に形成され紙製容器の口栓取り付け孔縁部内面に貼着されるフランジ部材と、を有する注出口栓であり、
前記各部材を口栓取り付け孔の内側から紙製容器に取り付けた後に、口栓取り付け孔を通過することができない部材を紙製容器の外側から、紙製容器の最外面に突出している口栓部材に取り付けたことを特徴とする、口栓付き紙製容器。
【請求項２】
前記部材がキャップ部材であり、紙製容器の最外面に突出している口栓部材が筒状部材であることを特徴とする、請求項１記載の口栓付き紙製容器。
【請求項３】
前記部材がキャップ部材に被せるオーバーキャップ部材であり、紙製容器の最外面に突出している口栓部材が筒状部材に螺着されるキャップ部材であることを特徴とする、請求項１記載の口栓付き紙製容器。
【発明の詳細な説明】
【技術分野】
【０００１】
本発明は、紙製容器の頂部に注出口栓が取り付けられた口栓付き紙製容器に関するものであり、特に、注出口栓が口栓取付け孔に対して内側から取り付けられた内付けタイプの口栓付き紙製容器に関する。
【背景技術】
【０００２】
紙製容器の頂部に注出口栓が取り付けられた口栓付き紙製容器として、現在、注出口栓が口栓取付け孔に対して内側から取り付けられた内付けタイプの口栓付き紙製容器が流通している（例えば、特許文献１参照）。
【０００３】
以下に公知文献を示す。
【特許文献１】実開平０７−０２６３２９号公報（図１）  しかし、この種の内付けタイプの口栓付き紙製容器は、紙製容器本体から突出している注出口栓（１１０）のキャップ部材（１１５）に上方向からや横方向からの応力が加わった場合、その応力は全て紙製容器本体内面（１３５）と注出口栓のフランジ部材（１１４）に加わってしまう。このために、注出口栓の陥没や脱落が発生し易いという問題があった（図４参照）。
【発明の開示】
【発明が解決しようとする課題】
【０００４】
本発明は、内付けタイプの口栓付き紙製容器に関する以上のような問題に鑑みてなされたもので、注出口栓の陥没に対して強い耐性を有する内付けタイプの口栓付き紙製容器を提供することを課題とする。
【課題を解決するための手段】
【０００５】
本発明の請求項１の発明は、紙を基材とし、内層に熱可塑性樹脂からなるシーラント層が設けられた紙製容器の頂部に口栓取り付け孔が穿設され、この口栓取り付け孔に紙製容器の内側からフランジ部材を有する注出口栓を嵌め込み溶着させた口栓付き紙製容器において、前記注出口栓がキャップ部材を被せる筒状部材と、該筒状部材下部内側に形成され筒状部材を閉塞する隔壁部材と、該隔壁部材から立設される開封用プルリング部材と、筒状部材の下部外縁に形成された紙製容器の口栓取り付け孔縁部内面に貼着されるフランジ部材と、を有する注出口栓であり、前記各部材を口栓取り付け孔の内側から紙製容器に取り付けた後に、口栓取り付け孔を通過することができない部材を紙製容器の外側から、紙製容器の最外面に突出している口栓部材に取り付けたことを特徴とする、口栓付き紙製容器である。
【０００６】
このように請求項１記載の発明によれば、注出口栓用の各部材を口栓取り付け孔の内側から紙製容器に取り付けた後に、口栓取り付け孔を通過することができない部材を紙製容器の外側から紙製容器の最外面に突出している口栓部材に取り付けているので、上方向からキャップ部材に応力が加わったとしても、その応力は全て紙製容器の外面とキャップ部材で受け止めることになって、キャップ部材は口栓取り付け孔より大きく設計されており、注出口栓が紙製容器の内部に陥没することはなくなる。
【０００７】
また、請求項２の発明は、請求項１の発明において、前記部材がキャップ部材であり、紙製容器の最外面に突出している口栓部材が筒状部材であることを特徴とする、口栓付き紙製容器である。
【０００８】
このように請求項２記載の発明によれば、口栓取り付け孔を通過することができないキャップ部材を紙製容器の外側から、紙製容器の最外面に突出している筒状部材に取り付けているので、上方向からキャップ部材に応力が加わったとしても、その応力は全て紙製容器の外面とキャップ部材で受け止めることになり、キャップ部材は口栓取り付け孔より大きく設計されており、注出口栓が紙製容器の内部に陥没することはなくなる。
【０００９】
また、請求項３の発明は、請求項１の発明において、前記部材がキャップ部材に被せるオーバーキャップ部材であり、紙製容器の最外面に突出している口栓部材が筒状部材に螺着されるキャップ部材であることを特徴とする、口栓付き紙製容器である。
【００１０】
このように請求項３記載の発明によれば、口栓取り付け孔を通過することができないオーバーキャップ部材をキャップ部材の上から被せて紙製容器の最外面に突出している筒状部材に取り付けているので、上方向からオーバーキャップ部材に応力が加わったとしても、その応力は全て紙製容器の外面とオーバーキャップ部材で受け止めることになり、オーバーキャップ部材は口栓取り付け孔より大きく設計されており、注出口栓が紙製容器の内部に陥没することはなくなる。
【発明の効果】
【００１１】
このように本発明の口栓付き紙製容器は、注出口栓が口栓取り付け孔に対して内側から取り付けられた内付けタイプの注出口栓でありながら、注出口栓に加わる応力に対して陥没不良が発生しにくい容器となる。また、キャップ部分を大きくすることができるため、開封し易い注出口栓にすることができる。
【発明を実施するための最良の形態】
【００１２】
本発明の口栓付き紙製容器を一実施形態に基づいて以下に詳細に説明する。
【００１３】
本発明の口栓付き紙製容器（１）は、例えば、図１に示すように、紙を基材とし、内層に熱可塑性樹脂からなるシーラント層（３５）が設けられた紙製容器（３０）の頂部に口栓取り付け孔（３１）が穿設され、この口栓取り付け孔に紙製容器の内側からフランジ部材（１４）を有する注出口栓（１０）を嵌め込み溶着させたものである。
【００１４】
注出口栓（１０）は、キャップ部材（１５）を被せる筒状部材（１１）と、該筒状部材下部内側に形成され筒状部材を閉塞する隔壁部材（１２）と、該隔壁部材から立設される開封用プルリング部材（１３）と、筒状部材の下部外縁に形成された紙製容器の口栓取り付け孔縁部内面に貼着されるフランジ部材（１４）とを有する。
【００１５】
そして各部材を口栓取り付け孔（３１）の内側から紙製容器（３０）に取り付けた後に、口栓取り付け孔（３１）を通過することができない部材を紙製容器（３０）の外側から、紙製容器の最外面に突出している口栓部材に取り付けたことを特徴とするものである。
【００１６】
口栓取り付け孔（３１）を通過することができない部材としては、紙製容器に穿設された口栓取り付け孔（３１）よりも取り付け中心からの距離を１ｍｍ以上長くした、例えば、キャップ部材（１５）が該当する（図１、図２参照）。
【００１７】
より具体的に記述すると、口栓取り付け孔（３１）の直径を２５ｍｍ程度とした場合、キャップ部材（１５）の外径を３０ｍｍ程度とすると良い。
【００１８】
注出口栓の取り付け方法は、例えば、充填機上で内容物を充填した紙製容器（１０）の内面側から注出口栓を口栓取り付け孔（３１）に挿入して紙製容器の壁面と注出口栓のフ
ランジ部材とを超音波シールなどのシール方法により溶着させた後、キャップ部材（１５）を筒状部材（１１）に螺着させる。
【００１９】
図３は、別の実施形態を示す要部断面説明図で、口栓取り付け孔を通過することができない部材としてキャップ部材に被せるオーバーキャップ部材（１６）としたものである。口栓取り付け孔の直径を２３ｍｍ程度とした場合、オーバーキャップ部材（１６）の外径を３０ｍｍ程度とすると良い。
【００２０】
この場合の注出口栓の取り付け方法は、例えば、内容物を充填した紙製容器（１０）の内面側から口栓取り付け孔（３１）を通る、あらかじめキャップ部材の取り付けてある注出口栓を口栓取り付け孔（３１）に挿入して紙製容器の壁面と注出口栓のフランジ部材とを超音波シールなどのシール方法により溶着させた後、キャップ部材（１５）の上から口栓取り付け孔（３１）を通ることのできないオーバーキャップ部材（１６）を貼り付ける。
【００２１】
本発明の特徴は、紙製容器の外側から取り付けたキャップ部材やオーバーキャップ部材に外部から垂直方向から、あるいは横方向から応力が加わった場合に、内付けタイプの注出口栓でありながら紙製容器の外側に応力がかかるようにしたことにある。
【００２２】
このような構成からなる注出口栓（１０）やキャップ部材（１５）、オーバーキャップ部材（１６）は、一般的にはポリエチレン、ポリプロピレン等の熱可塑性樹脂を用いて射出成形法により作製することができる。
【００２３】
また、注出口栓（１０）を取り付ける紙製容器（３０）は、紙を基材とし、内層にシーラント層（３５）が設けられた、例えば、〔容器外側〕ポリエチレン／板紙／ポリエチレン／アルミニウム箔／ポリエチレンテレフタレートフィルム／ポリエチレン（３５）〔容器内側〕のような層構成を有する積層材料を組み立てて作製することができる。
【図面の簡単な説明】
【００２４】
【図１】本発明の口栓付き紙製容器の一実施例を示す、（ａ）は注出口栓取り付け後の状態を示す、要部断面説明図であり、（ｂ）は注出口栓取り付け前の状態を示す、要部断面説明図である。
【図２】図１の注出口栓取り付け部分を詳細に示す、断面説明図である。
【図３】本発明の口栓付き紙製容器の別の実施例の注出口栓取り付け部分を詳細に示す、断面説明図である。
【図４】従来の口栓付き紙製容器の注出口栓取り付け部分を詳細に示す、断面説明図である。
【符号の説明】
【００２５】
１‥‥口栓付き紙製容器
１０‥‥注出口栓
１１‥‥筒状部材
１２‥‥隔壁部材
１３‥‥プルリング部材
１４‥‥フランジ部材
１５‥‥キャップ部材
１６‥‥オーバーキャップ部材
３０‥‥紙製容器
３１‥‥口栓取り付け孔
３５‥‥シーラント層
１１０‥‥注出口栓
１１４‥‥フランジ部材  
１１５‥‥キャップ部材  
１３５‥‥紙製容器本体内面
【図１】
2005212847.tif 000003
【図２】
2005212847.tif 000004
【図３】
2005212847.tif 000005
【図４】
2005212847.tif 000006